【手続補正書】
【提出日】平成20年3月24日(2008.3.24)
【手続補正１】
【補正対象書類名】明細書
【補正対象項目名】特許請求の範囲
【補正方法】変更
【補正の内容】
【特許請求の範囲】
【請求項１】
物体側から順に、負の屈折力を有する第１レンズ群と正の屈折力を有する第２レンズ群とを有し、前記第１レンズ群と前記第２レンズ群との空気間隔を変化させることによって変倍するズームレンズにおいて、
前記第１レンズ群は、物体側から順に、１枚または２枚の負レンズを含む負レンズ群Ｇ1Fと正レンズ群Ｇ1Rとを有し、
前記第２レンズ群の変倍による最大移動量をＸ2、
前記第１レンズ群全体の焦点距離をｆ1、
前記ズームレンズ全系の広角端の焦点距離をｆw、
前記ズームレンズ全系の望遠端の焦点距離をｆtとそれぞれした時、
（１）４．５ ≦ ｜Ｘ2｜・ｆt ／ ｆw2≦ １５
（２）０．７ ≦ ｜ｆ1 ｜／（ｆw・ｆt）1/2≦ １．３
の条件式を満足することを特徴とするズームレンズ。
【請求項２】
前記第２レンズ群の焦点距離をｆ2、
前記ズームレンズの広角端におけるバックフォーカスをＢＦwとそれぞれした時、
（３）０．６ ≦ ｆ2 ／ ＢＦw ≦ ２
の条件式を満足することを特徴とする請求項１記載のズームレンズ。
【請求項３】
前記第２レンズ群中には、Ｆナンバーを決定する開口絞りが設けられ、該開口絞りよりも物体側は、少なくとも２つの正レンズを有する正レンズ群Ｇ2Fで構成され、該開口絞りよりも像面側は、少なくとも１つの負レンズを有する負レンズ群Ｇ2Rで構成されることを特徴とする請求項１又は２記載のズームレンズ。
【請求項４】
前記正レンズ群Ｇ2Fの焦点距離をｆ2F、
前記負レンズ群Ｇ2Rの焦点距離をｆ2Rとした時、
（４） −１ ≦ ｆ2F／ｆ2R ≦ −０．０５
を満足することを特徴とする請求項３記載のズームレンズ。
【請求項５】
前記正レンズ群Ｇ2Fは、正レンズと接合レンズとを有することを特徴とする請求項３または４記載のズームレンズ。
【請求項６】
前記正レンズ群Ｇ2Fに含まれる前記接合レンズは、正レンズと、該正レンズより屈折率の高い負レンズと、を有することを特徴とする請求項５に記載のズームレンズ。
【請求項７】
前記負レンズ群Ｇ2Rは、像側に凹面を向けた平凹形状または物体側に凸面を向けたメニスカス形状の負レンズを有することを特徴とする請求項３から６のいずれか一項に記載のズームレンズ。
【請求項８】
前記負レンズ群Ｇ2Rに含まれる前記負レンズは、該負レンズより屈折率の低い正レンズと接合されていることを特徴とする請求項７に記載のズームレンズ。
【請求項９】
前記第１レンズ群中の負レンズ群Ｇ1Fは少なくとも１面の非球面を有し、該非球面は、光軸から垂直方向の高さｙにおける各非球面の頂点の接平面から光軸方向に沿った距離をＳ（ｙ）、
近軸曲率半径をＲ、
円錐係数をκ、
ｎ次の非球面係数をＣｎとそれぞれするとき、以下の非球面式で与えられ、
Ｓ（ｙ）＝（ｙ2／Ｒ）／〔１＋（１−κ・ｙ2／Ｒ2）1/2〕＋Ｃ3・｜ｙ｜3＋
Ｃ4・ｙ4＋Ｃ5・｜ｙ｜5＋Ｃ6・ｙ6＋Ｃ8・ｙ8＋Ｃ10・ｙ10＋Ｃ12・ｙ12＋Ｃ14・ｙ14
さらに、上記円錐係数は次式、
（５） ０ ≦ κ ＜ １
を満足することを特徴とする請求項１から８の何れか一項に記載のズームレンズ。
【請求項１０】
前記非球面はガラスと樹脂との複合型非球面であることを特徴とする請求項９に記載のズームレンズ。
【請求項１１】
前記負レンズ群Ｇ1Fは、１枚の負レンズからなり、
前記正レンズ群Ｇ1Rは、１枚の正レンズからなることを特徴とする請求項１から１０のいずれか一項に記載のズームレンズ。
【請求項１２】
変倍時に独立移動するフレアストッパーを有することを特徴とする請求項１から１１のいずれか一項に記載のズームレンズ。
【請求項１３】
前記フレアストッパーは、前記第２レンズ群より像側に位置していることを特徴とする請求項１から１２のいずれか一項に記載のズームレンズ。
【請求項１４】
請求項１から１３のいずれか一項に記載のズームレンズを備えることを特徴とする撮影装置。
【請求項１５】
物体側から順に、負の屈折力を有する第１レンズ群と正の屈折力を有する第２レンズ群とを配置し、
前記第１レンズ群は、物体側から順に、負レンズを含む負レンズ群Ｇ1Fと正レンズ群Ｇ1Rとを配置し、
前記第２レンズ群の変倍による最大移動量をＸ2、
前記第１レンズ群全体の焦点距離をｆ1、
前記ズームレンズ全系の広角端の焦点距離をｆw、
前記ズームレンズ全系の望遠端の焦点距離をｆtとそれぞれした時、
（１）４．５ ≦ ｜Ｘ2｜・ｆt／ ｆw2 ≦ １５
の条件式を満足するするズームレンズの変倍方法。
【請求項１６】
前記ズームレンズの全系の望遠端の焦点距離をｆ１としたとき、
（２）０．７ ≦ ｜ｆ1｜／（ｆw・ｆt）1/2 ≦ １．３
の条件式を満足することを特徴とする請求項１５に記載のズームレンズの変倍方法。
【手続補正２】
【補正対象書類名】明細書
【補正対象項目名】０００７
【補正方法】変更
【補正の内容】
【０００７】
また、好ましい態様では、前記第２レンズ群中には、Ｆナンバーを決定する開口絞りが設けられ、該開口絞りよりも物体側は、少なくとも２つの正レンズを有する正レンズ群Ｇ2Fで構成され、該開口絞りよりも像面側は、少なくとも１つの負レンズを有する負レンズ群Ｇ2Rで構成されることが望ましい。
また、好ましい態様では、前記正レンズ群Ｇ2Fの焦点距離をｆ2F、
前記負レンズ群Ｇ2Rの焦点距離をｆ2Rとした時、
（４） −１ ≦ ｆ2F／ｆ2R ≦ −０．０５
を満足する構成が望ましい。
また、好ましい態様では、前記正レンズ群Ｇ2Fは、正レンズと接合レンズとを有する構成が望ましい。
また、好ましい態様では、前記正レンズ群Ｇ2Fに含まれる前記接合レンズは、正レンズと、該正レンズより屈折率の高い負レンズと、を有する構成が望ましい。
また、好ましい態様では、前記負レンズ群Ｇ2Rは、像側に凹面を向けた平凹形状または物体側に凸面を向けたメニスカス形状の負レンズを有する構成が望ましい。
また、好ましい態様では、前記負レンズ群Ｇ2Rに含まれる前記負レンズは、該負レンズより屈折率の低い正レンズと接合されている構成が望ましい。
【手続補正３】
【補正対象書類名】明細書
【補正対象項目名】００１０
【補正方法】変更
【補正の内容】
【００１０】
さらに、上記円錐係数は次式、
（５）０ ≦ κ ＜ １
を満足することが望ましい。
また、好ましい態様では、前記非球面はガラスと樹脂との複合型非球面であることが望ましい。
また、好ましい態様では、前記負レンズ群Ｇ1Fは、１枚の負レンズからなり、前記正レンズ群Ｇ1Rは、１枚の正レンズからなることが望ましい。
また、好ましい態様では、変倍時に独立移動するフレアストッパーを有することが望ましい。
また、好ましい態様では、前記フレアストッパーは、前記第２レンズ群より像側に位置していることが望ましい。
また、本発明は、請求項１から１３のいずれか一項に記載のズームレンズを備えることを特徴とする撮影装置を提供する。
また、本発明は、物体側から順に、負の屈折力を有する第１レンズ群と正の屈折力を有する第２レンズ群とを配置し、前記第１レンズ群は、物体側から順に、負レンズを含む負レンズ群Ｇ1Fと正レンズ群Ｇ1Rとを配置し、前記第２レンズ群の変倍による最大移動量をＸ2、前記第１レンズ群全体の焦点距離をｆ1、前記ズームレンズ全系の広角端の焦点距離をｆw、前記ズームレンズ全系の望遠端の焦点距離をｆtとそれぞれした時、
（１）４．５ ≦ ｜Ｘ2｜・ｆt／ ｆw2 ≦ １５
の条件式を満足するするズームレンズの変倍方法を提供する。
また、好ましい態様では、前記ズームレンズの全系の望遠端の焦点距離をｆ１としたとき、
（２）０．７ ≦ ｜ｆ1｜／（ｆw・ｆt）1/2 ≦ １．３
の条件式を満足することが望ましい。